(57)【要約】【課題】軒先に取付ける前の軒樋の後耳部を確実に保持でき、既設の軒樋にも容易に取付けられる軒樋切断補助具を提供する。【解決手段】軒樋２の外面に沿う底壁２０、前壁２１、後壁２２を備える。前壁２１に軒樋２の前耳部６に係止可能な前係止部２３を形成する。後壁２２に前方に向けて突出して軒樋２の後耳部１１の上面を押さえる押さえ片３０を形成する。後壁２２の押さえ片３０よりも上方に突出した部分である上方突出部３１の上端から弾接片３２を突出する。弾接片３２を先端側が後壁２２から離れる方向に弾性的に屈曲可能とする。弾接片３２を軒樋２の後耳部１１の前面に弾接可能とする。上方突出部３１を含む後壁２２の側端部から外方に向けて突出した後ガイド４２を備える。後ガイド４２において上方突出部３１の基端部に対応する部分に切断刃を案内するためのスリット４４を形成する。【選択図】図１
2007291744.tif 000002
【特許請求の範囲】
【請求項１】
軒樋の外面に沿う底壁と前壁と後壁を備え、前壁に軒樋の前耳部に係止可能な前係止部を形成し、後壁に前方に向けて突出して軒樋の後耳部の上面を押さえる押さえ片を形成し、後壁の押さえ片よりも上方に突出した部分である上方突出部の上端から下側に向けて弾接片を突出し、該弾接片をその先端側が後壁から離れる方向に弾性的に屈曲可能とすると共に軒樋の後耳部の前面に弾接可能とし、軒樋用切断具のガイドとして、上方突出部を含む後壁の側端部から外方に向けて突出した後ガイドを備え、該後ガイドにおいて前記押さえ片よりも上方に突出した上方突出部の基端部に対応する部分に後ガイドの後端から前方に向かって伸びる切断刃案内用のスリットを形成して成ることを特徴とする軒樋切断補助具。
【請求項２】
前記スリットを後ガイドの前後方向の全長に亘って形成して、後ガイドをスリットの上方に位置する上側ガイド部と下方に位置する下側ガイド部とに分割し、下側ガイド部の基端部に下側ガイド部の上端から後壁の外面に沿って切断刃を案内するための案内溝を形成して成ることを特徴とする請求項１に記載の軒樋切断補助具。
【発明の詳細な説明】
【技術分野】
【０００１】
本発明は軒樋の外面に被嵌されて軒樋を切断する鋸等の軒樋用切断具をガイドする軒樋切断補助具に関する。
【背景技術】
【０００２】
一般的に軒樋は施工現場において鋸等の軒樋用切断具を用いて切断した後、軒先に取付けるものであり、ここで軒樋を切断するには例えば図９に示す軒樋切断補助具を用いる（例えば特許文献１にはこの種の軒樋切断補助具が開示してある）。この軒樋切断補助具は図９に示すように軒樋２の外面に沿う底壁６０と前壁６１と後壁６２を備え、前壁６１の上端に前係止部６３を形成し、後壁６２の後係止部６４を形成している。軒樋２を切断するには、軒樋切断補助具を軒樋２の長手方向の任意の位置の外面に被嵌すると共に、前係止部６３を軒樋２の前耳部６に係止すると共に後係止部６４を軒樋２の後耳部１１に係止して軒樋２の外面に被着し、この軒樋切断補助具を被着した軒樋２を床等に置き、軒樋用切断具を軒樋切断補助具の側端部から外方に突出したガイド６５の側面に沿って摺動させ、このようにガイド６５で軒樋用切断具をガイドしながら該軒樋用切断具の切断刃で軒樋２を所定の長さに切断する。
【０００３】
ところで図９に示す軒樋切断補助具にあっては、後壁６２の上端から前方に向けて突出する後係止部６４を断面逆Ｌ字状に形成してあり、後係止部６４を軒樋２の後耳部１１に係止するには、後係止部１１の横片からなる押さえ片６６で軒樋２の後耳部１１の上面を押さえると共に、押さえ片６６の先端から下方に向けて突出した突部６７を後耳部１１の前面に係止する。ここで後係止部６４により後耳部１１をより確実に保持するには、押さえ片６６から下方に突出する突部６７の突出長さを長くして突部６７自体を弾性変形しやすいものとし、この突部６７を後耳部１１の前面に弾接することが望ましい。しかしこの突部６７の突出長さを長くすれば軒樋２の後耳部１１を押さえ片６６の下面側に移動する際に突部６７が邪魔になる。従って従来では突部６７の突出長さを長くできず、このため突部６７を後耳部１１に弾接するという後耳部１１の確実な保持を実現できず、この結果、軒樋２を精度良く軒樋用切断具で切断することが難しかった。
【０００４】
また軒樋２は図７や図８に示すように支持具１０で軒先に取付けられるが、このように軒先に取付けた軒樋２には図８のように外面に傷４７が付く場合があり、この場合は図８の実線イで示すように軒樋２を軒先に取付けた状態のままで軒樋２の長手方向において傷付いた部分の両側を金鋸等の軒樋用切断具で切断し、この部分のみを切り離して新たな軒樋２に交換する。しかし従来では軒先に取付けた軒樋２を切断する際に、軒樋用切断具の移動をガイドする道具を何も用いることなく軒樋２を切断していたので、図８の破線ロで示すように軒樋２を所望の角度に切断できず斜めに切断される場合があった。
【０００５】
またこの場合、軒先に取付けた軒樋２の外面に図９に示す軒樋切断補助具を被着し、この軒樋切断補助具のガイド６５で軒樋用切断具のガイドをすることが考えられる。しかし図９に示す軒樋切断補助具は後耳部１１の前面側に位置することとなる突部６７を形成することで、後壁６２の上端部の前後方向の寸法が長くなり、この後壁６２の上端部を軒樋２の後面部５と軒先の鼻板１２との間の間隔の小さい隙間４９に下方から通過させることが困難となる。
【特許文献１】特開２００５−１６１１５号公報
【発明の開示】
【発明が解決しようとする課題】
【０００６】
本発明は上記従来の問題点に鑑みて発明したものであって、軒先に取付ける前の軒樋の後耳部を確実に保持して精度良く切断でき、しかも既設の軒樋に容易に取付けることができて、既設の軒樋を切断する際の切断補助具としても利用できる軒樋切断補助具を提供することを課題とするものである。
【課題を解決するための手段】
【０００７】
上記課題を解決するために本発明に係る軒樋切断補助具は、軒樋２の外面に沿う底壁２０と前壁２１と後壁２２を備え、前壁２１に軒樋２の前耳部６に係止可能な前係止部２３を形成し、後壁２２に前方に向けて突出して軒樋２の後耳部１１の上面を押さえる押さえ片３０を形成し、後壁２２の押さえ片３０よりも上方に突出した部分である上方突出部３１の上端から下側に向けて弾接片３２を突出し、該弾接片３２をその先端側が後壁２２から離れる方向に弾性的に屈曲可能とすると共に軒樋２の後耳部１１の前面に弾接可能とし、軒樋用切断具のガイドとして上方突出部３１を含む後壁２２の側端部から外方に向けて突出した後ガイド４２を備え、該後ガイド４２において前記押さえ片３０よりも上方に突出した上方突出部３１の基端部に対応する部分に後ガイド４２の後端から前方に向かって伸びる切断刃案内用のスリット４４を形成して成ることを特徴とする。
【０００８】
上記のように弾接片３２を押さえ片３０から上方に突出した上方突出部３１の上端部から下側に向けて突出することで、弾接片３２を弾性変形しやすくでき、これにより軒先に取付ける前の軒樋２に被着した場合に、弾接片３２を軒樋２の後耳部１１の前面に確実に弾接できて後耳部１１を確実に保持でき、軒樋２の切断の精度が向上する。また既設の軒樋２を切断する場合は、スリット４４に沿って案内される補助具用切断具の切断刃によって上方突出部３１の基端部を切断し、弾接片３２と共に上方突出部３１を切り離した既設用の軒樋切断補助具１′を形成し、該軒樋切断補助具１′を、前係止部２３を既設の軒樋２の前耳部６に係止すると共に押さえ片３０で後耳部１１の上面を押さえて、既設の軒樋２の外面に被着し、該軒樋切断補助具１′のガイド４２で既設の軒樋２を切断する軒樋用切断具をガイドすることができる。またこの軒樋切断補助具１′は前記弾接片３２を切り離したものであるので、後壁２２の前後方向の寸法は小さく、このため軒樋切断補助具１′の後壁２２を軒樋２の後面部５と軒先の鼻板１２との間の間隔の小さい隙間４９にも容易に通過させることができる。さらには軒樋切断補助具１′は上方突出部３１を切り離したものであるので、既設の軒樋２の直上に野地板５０や水切り５１が位置する場合にこれらに後壁２２が干渉することを防止できる。
【０００９】
また前記スリット４４を後ガイド４２の前後方向の全長に亘って形成して、後ガイド４２をスリット４４の上方に位置する上側ガイド部４５と下方に位置する下側ガイド部４６とに分割し、下側ガイド部４６の基端部に下側ガイド部４６の上端から後壁２２の外面に沿って切断刃を案内するための案内溝４８を形成することが好ましい。上記上方突出部３１の基端部を補助具用切断具で切断した際に上側ガイド部４５を切り離し、尚且つ案内溝４８に沿って案内される補助具用切断具の切断刃によって下側ガイド部４６を切り離すことができ、これにより後壁２２の前後方向の寸法を一層短くできて、軒樋２の後面部５と軒先の鼻板１２との間の隙間４９が非常に小さい場合にも対応できる。
【発明の効果】
【００１０】
本発明の請求項１に係る軒樋切断補助具は、軒樋に被着した場合に、弾接片を軒樋の後耳部の前面に確実に弾接できて後耳部を確実に保持でき、軒樋の切断の精度が向上する。また既設の軒樋を切断する場合は、スリットに沿って案内される補助具用切断具の切断刃によって上方突出部の基端部を切断し、弾接片と共に上方突出部を切り離した既設用の軒樋切断補助具を形成し、該軒樋切断補助具を既設の軒樋の外面に被着することで、該軒樋切断補助具のガイドで軒樋用切断具をガイドすることができ、既設の軒樋を正確に切断できる。またこの既設用の軒樋切断補助具は弾接片を切り離したものであるので、後壁の前後方向の寸法は小さく、このため軒樋切断補助具の後壁を軒樋の後面部と軒先の鼻板との間の間隔の小さい隙間にも容易に通過させることができ、さらに上方突出部を切り離したものであるので、既設の軒樋の直上に野地板や水切りが位置する場合にこれらに後壁が干渉することを防止できる。
【００１１】
また本発明の請求項２に係る軒樋切断補助具は、案内溝に沿って案内される補助具用切断具の切断刃によって下側ガイド部を切り離すことができ、後壁の前後方向の寸法を一層短くできて、軒樋の後面部と軒先の鼻板との間の隙間が非常に小さい場合にも対応できる。
【発明を実施するための最良の形態】
【００１２】
以下、本発明を添付図面に示す実施形態に基づいて説明する。本実施例の軒樋切断補助具１は、図１のように軒先に取付ける前の軒樋２の長手方向における一部の外面に着脱自在に被着でき、尚且つ図３（ａ）〜（ｃ）のように金鋸のような補助具用切断具で一部を切断して切り離すことで、図６のように軒先に取付けた状態の軒樋２にも取付け可能となる。
【００１３】
軒樋切断補助具１を利用して切断される軒樋２は手動又は電動の鋸等からなる軒樋用切断具によって切断可能な合成樹脂又は金属等で形成され、底面部３の前後両側から前面部４及び後面部５を立設して、全体として上方に開口する断面略Ｕ字状をしている。軒樋２を軒先に取付けた時に屋外側に位置する軒樋２の前面部４は上側程外側に位置するように傾斜し、前面部４の上端部には後方に向けて突出する前耳部６を一体に形成している。前耳部６は、前面部４の上端部と、前面部４の上端から後方に向けて突出する横片状の接続片７と、該接続片７の先端から下側に向けて突出する中空の耳部本体８で構成され、前耳部６の前端部（つまり接続片７と前面部４からなる角部）からは上方に向けて嵌込突部９を突出している。また建物側に位置する後面部５は底面部３から垂直上方に向けて突出し、その高さは前面部４の高さよりも低く、またその上端部には前方に向けて中空の後耳部１１を一体に突出している。
【００１４】
上記軒樋２の軒先への取付けは図７に示す支持具１０が利用される。支持具１０は、軒先の鼻板１２に取付けられる板状の固着部１３と、固着部１３の上部から前方に向けて突出した支持部１４を備えている。支持部１４は、前端部の上側に前耳保持部１５を形成し、後端部の下側に後耳保持部１６を形成し、また前後方向の中程から下方に向けて脚部１７を突出している。固着部１３をねじや釘等の固着具により軒先の鼻板１２に取付け、この固着部１３から突出した支持部１４の前耳保持部１５及び後耳保持部１６で軒樋２の前耳部６及び後耳部１１の夫々を保持し、且つ脚部１７の下端を軒樋２の内面に当てた状態で、軒樋２は支持具１０に支持される。なお図示は省略するが、軒樋２の端部同士は軒樋２の内側に嵌め込まれる継手によって連結される。
【００１５】
一方、軒樋切断補助具１は、補助具用切断具によって切断可能な合成樹脂又は金属等で形成され、軒樋２の外面に沿う底壁２０、前壁２１、後壁２２を備え、左右方向の両端及び上方が開口した断面略Ｕ字状をしている。底壁２０の前後に立設した前壁２１及び後壁２２の高さは同じであり、前壁２１の上端部の内面には軒樋２の前耳部６に係止可能な前係止部２３を形成し、後壁２２の上端部の内面には軒樋２の後耳部１１に係止可能な後係止部２４を形成してあり、前後の係止部２３、２４は軒樋切断補助具１の左右方向の全長に亘って形成されている。
【００１６】
前係止部２３は先端角部２６を下に向けた断面Ｖ字状に形成してあり、その前側の片２７の上端部を前壁２１の上端部の内面に一体に接続している。前係止部２３は図２に示す状態からその下端部に位置する先端角部２６が前壁２１の内面から離れるように前記前壁２１との接続部分を支点として弾性の範囲内で回動可能としている。前係止部２３の先端角部２６は前係止部２３に力が加わっていない状態で前壁２１の内面の近傍に位置してこの間に若干の隙間２８を形成している。前係止部２３を先端側が前壁２１から離れる方向に回動して隙間２８の幅を広げ、ここに軒樋２の前耳部６の嵌込突部９を嵌め込むことで、図１や図６のように前耳部６の上面を前係止部２３の先端角部２６に当てた状態で前係止部２３の先端角部２６を軒樋２の嵌込突部９の後面に弾接でき、これにより前係止部２３を前耳部６に確実に係止できるようになっている。また前係止部２３の操作部となる後側の片２９の上端部と前壁２１の上端部を指で挟んで、前係止部２３を先端側が前壁２１の内面から離れる方向に回動することで、隙間２８に嵌め込んだ前耳部６の嵌込突部９を外し、前耳部６と前係止部２３の係止を解除できる。
【００１７】
後係止部２４は、後壁２２の上部から前方に向けて突出する水平な押さえ片３０と、後壁２２の押さえ片３０よりも上方に突出した部分からなる上方突出部３１と、上方突出部３１の上端部から内側且つ下側に向けて突出する弾接片３２とを備えている。弾接片３２は下側程前方に位置するように滑らかに湾曲し、先端部の後側に角状の段部３３（図５）を形成している。弾接片３２は押さえ片３０から上方に突出した上方突出部３１の上端部から下方に向けて突出することでその下方への突出長さを長くして弾性変形しやすくしており、これにより弾接片３２は先端側が後壁２２から離れる方向に弾性的に屈曲可能としてある。弾接片３２の先端部は押さえ片３０よりも下方に突出し、弾接片３２に力を加えていない状態では、この弾接片３２の先端部と押さえ片３０の先端との間に若干の隙間３４が形成される。弾接片３２は先端側が後壁２２の内面から離れる方向に弾性の範囲内で屈曲した状態で、軒樋２の後耳部１１の上面を押さえ片３０の下面及び弾接片３２の段部３３の横面３５に当接でき、且つ弾接片３２の段部３３の縦面３６を後耳部１１の前面に弾接でき、これにより後係止部２４を後耳部１１に確実に係止できる。
【００１８】
また軒樋切断補助具１の左右方向の両端部の夫々には軒樋用切断具をガイドするフランジ状のガイド３８を外方に向けて突出している。各ガイド３８は前壁２１から底壁２０を経て後壁２２に至るまで連続し、軒樋切断補助具１の周方向の略全長に亘って設けている。各ガイド３８は厚み方向の外側の面（他方のガイド３８側とは反対側の面）が底壁２０、前壁２１、後壁２２の端面と面一となって、各ガイド３８によって面積が大きくなった軒樋切断補助具１の両端面を軒樋用切断具の刃面等をガイドするガイド面３９としている。なお本実施例では軒樋切断補助具１の周方向において後壁２２の上端部（即ち上方突出部３１の上部）にはガイド３８を設けていない。各ガイド３８の外周側面の中央部にはガイド溝４０を全長に亘って周設してあり、各ガイド溝４０の溝深さは溝底が底壁２０、前壁２１、後壁２２の夫々の外面と略同じレベルとなっている。ガイド溝４０には図示しない電動鋸の被ガイド部を挿入し、該被ガイド部をガイド溝４０に沿って摺動して電動鋸をガイドできるようになっている。また両ガイド３８間の距離は図示しない電動鋸の被案内部と略同じ幅に設定してあり、両ガイド３８間に被案内部を摺動させることでも電動鋸をガイドできるようにしてある。
【００１９】
ここで後壁２２の押さえ片３０から上方に突出した上方突出部３１の基端部の左右方向の全長に亘る直線部分を切断可能部４１とし、また各ガイド３８において上方突出部３１を含む後壁２２の側端部から外方に向けて突出した部分を後ガイド４２とする。なおここで定義する後ガイド４２は底壁２０よりも下方に突出した部分も含むものであり、つまりガイド３８において底壁２０から下方に突出した部分を下ガイド４３とすると、後ガイド４２の下端部の前側が下ガイド４３の後端に接続してある。各後ガイド４２において切断可能部４１に対応する部分には、後ガイド４２の後端から前方に向かって直線状に伸びるスリット４４を形成している。スリット４４の溝幅は補助具用切断具の切断刃の厚みよりも若干大きいものであり、両スリット４４内に挿入した補助具用切断具の切断刃をスリット４４に沿って摺動して案内できるようになっている。
【００２０】
また各スリット４４は後ガイド４２の前後方向の全長に亘って形成してあり、これにより各後ガイド４２は、スリット４４の上方に位置する上側ガイド部４５と下方に位置する下側ガイド部４６とに分割されている。このうち各下側ガイド部４６の基端部の外面（他方のガイド３８側とは反対側の面）にはスリット４４の側縁を構成する下側ガイド部４６の上端から後壁２２の外面に沿って直線状に伸びる案内溝４８を形成してあり、該案内溝４８の下端は下側ガイド部４６の下端にまで至って開口している。
【００２１】
上記軒樋切断補助具１を利用して軒樋用切断具で軒先に取付ける前の軒樋２を切断するには、まず軒樋切断補助具１の内側に長尺な軒樋２の長手方向の一部を上の開口から挿入し、これにより軒樋２の長手方向の一部の外面に軒樋切断補助具１を被着する。
【００２２】
ここで軒樋切断補助具１内に軒樋２の長手方向の一部を挿入する場合、軒樋２の前面部４の外面及び後面部５の外面が軒樋切断補助具１の前係止部２３の後側の片２９及び弾接片３２の夫々に沿って案内され、これにより軒樋２は軒樋切断補助具１の前壁及２１び後壁２２を押し広げるように弾性変形させつつ、図１に示す軒樋切断補助具１を被嵌した所定位置にまで誘導される。そして軒樋２をその底面部３の外面が軒樋切断補助具１の底壁２０の内面に当たる位置まで挿入すると、軒樋２の前後の耳部６、１１が前係止部２３の後側の片２９及び弾接片３２の夫々を越えて前後の係止部２３、２４に係止され、これにより前耳部６の上面が前係止部２３の先端角部２６に当たり、前係止部２３の先端角部２６が軒樋２の嵌込突部９の後面に弾接し、同時に軒樋２の後耳部１１の上面が押さえ片３０の下面及び弾接片３２の段部３３の横面３５に当接し、弾接片３２の縦面３６が後耳部１１の前面に弾接して、軒樋２の外面に軒樋切断補助具１が被着される。
【００２３】
次に上記外面に軒樋切断補助具１を被嵌した軒樋２を上下逆にして、該軒樋切断補助具１の前壁２１及び後壁２２の夫々の上端部を地面等の載置面に載置し、この状態で軒樋用切断具を軒樋切断補助具１のガイド３８でガイドしながら軒樋２を底面部３側から切断する。これにより軒樋２をその長手方向に平面視で直交する方向に切断できて、所望の長さの軒樋２が得られる。この場合、前係止部２３を軒樋２の前耳部６に弾接して前耳部６が後方に倒れることを防止すると共に、後係止部２４の弾接片３２を後耳部１１の前面に弾接して図４の破線で示すように後耳部１１が前方に倒れることを防止しながら、軒樋２を軒樋切断補助具１で確実に保持した状態で切断できるので、軒樋２を精度良く切断できる。なお本例では後壁２２の上端は前壁２１の上端と同じレベルとし、且つ押さえ片３０よりも上方位置に上側ガイド部４５を設けてあり、後壁２２の上方突出部３１の側端面や上側ガイド部４５をガイド面として利用できるので、例えば幅の狭い金鋸のような軒樋切断補助具で前述のように軒樋２を底面部３側から切断する場合にも、前耳部６や後耳部１１を切断する最後まで軒樋用切断具をガイドできる。
【００２４】
なお軒樋２を切断した後に軒樋２から軒樋切断補助具１を取外すには、前係止部２３の片２９の上端部と前壁２１の上端部を指で挟むことで、前係止部２３を前壁２１から離れる方向に回動し、これにより前係止部２３と前耳部６の係止を外し、同時に後係止部２４と後耳部１１の係止を外し、この後、軒樋切断補助具１内から軒樋２を取り出す。
【００２５】
また例えば図８のように軒先に取付けた軒樋２の外面に傷４７等がついて、この傷付いた部分のみを交換する場合には、上記軒樋切断補助具１を補助具用切断具で図３（ａ）〜（ｂ）のように後壁２２の上方突出部３１を弾接片３２及び上側ガイド部４５と共に切り離し、この後、補助具用切断具で図３（ｂ）〜（ｃ）のように下側ガイド部４６を切り離して、既設用の軒樋切断補助具１′を形成する。
【００２６】
ここで図３（ａ）に示す軒樋切断補助具１から後壁２２の上方突出部３１を弾接片３２及び上側ガイド部４５と共に切り離す場合は、後ガイド４２に形成した左右に伸びる両スリット４４に補助具用切断具の切断刃を図３（ａ）の矢印に示す方向に挿入し、両スリット４４に沿って補助具用切断具の切断刃を摺動させる。これにより両スリット４４によって補助具用切断具の切断刃を案内しながら、軒樋切断補助具１を上方突出部３１の基端部の切断可能部４１で容易に切断できる。
【００２７】
またこの弾接片３２及び上側ガイド部４５と共に上方突出部３１を切り離した図３（ｂ）に示す軒樋切断補助具１から各下側ガイド部４６を切り離す場合は、補助具用切断具により下側ガイド部４６の基端部を図３（ｂ）の矢印に示すように下側ガイド部４６の上方から切断する。この時も補助具用切断具の切断刃を下側ガイド部４６の基端部に形成した上下に伸びる各案内溝４８に沿って摺動して案内することができて、下側ガイド部４６を容易に切り離すことができる。
【００２８】
上記のように形成された既設用の軒樋切断補助具１′を図６に示す既設の軒樋２の長手方向において支持具１０とは別の位置の外面に被着する。この軒樋切断補助具１′の既設の軒樋２への被着は、例えば図１と同様に軒樋２の前耳部６に前係止部２３を係止し、また上方突出部３１及び下側ガイド部４６を切り離すことで前後方向及び上下方向の寸法が短くなった後壁２２を、鼻板１２の外面と軒樋２の後面部５との間に形成された隙間４９に下方から差込んで、該後壁２２から突出した押さえ片３０を後耳部１１の上面に係止する。
【００２９】
このように既設の軒樋２の外面に被着された軒樋切断補助具１のガイド３８（なおこのガイド３８からは後ガイド４２は切り離されている）で軒樋切断補助具１をガイドしながら軒樋２の傷付いた部分の両側を切断し、これにより軒樋２の傷付いた部分のみを切り離してこの部分を新たな軒樋２に交換する。
【００３０】
以上説明したように本発明の軒樋切断補助具１にあっては、上方突出部３１及び下側ガイド部４６を切り離して既設用の軒樋切断補助具１′を形成でき、この軒樋切断補助具１′を軒樋２の外面に被着し、該軒樋切断補助具１′のガイド３８で軒樋用切断具をガイドしながら既設の軒樋２を軒先に取付けたままで切断でき、軒樋２の交換部分の両側を正確に切断できる。
【００３１】
また上方突出部３１等を切り離す前の通常の使用形態にある軒樋切断補助具１では、前述のように弾接片３２を取付ける前の軒樋２の後耳部１１の前面に弾接して確実に後耳部１１を保持できるが、既設の軒樋２に軒樋切断補助具１を被着する場合には、この弾接片３２を上方突出部３１と共に切り離し、これにより後壁２２の上端部の前後方向の寸法を短くでき、既設の軒樋２の後面部５と鼻板１２の外面との間に形成される隙間４９が小さい場合にも、この隙間４９に支障なく後壁２２を通過させて押さえ片３０を後耳部１１に係止できる。
【００３２】
なお既設用の軒樋切断補助具１′にあっては弾接片３２を切り離すため、該軒樋切断補助具１では既設の軒樋２の後耳部１１を弾接状態で確実に保持することはできないが、この既設の軒樋２の後耳部１１は支持具１０や継手によって保持された状態にあるので、軒樋用切断具により既設の軒樋２を切断する時には図４のように後耳部１１が前側に倒れることはなく、このため既設の軒樋２を切断する場合も精度良く切断できる。
【００３３】
また本発明の弾接片３２は押さえ片３０から上方に突出した上方突出部３１の上端部から突出することで下方への突出長さを長くして弾性変形しやすくしたものであるが、例えばこのように後壁２２の上端部を上方に大きく突出した軒樋切断補助具１を既設の軒樋２に被着する場合、後壁２２の上方突出部３１が直上に位置する野地板５０や水切り５１に当たる恐れがあり、この場合は軒樋切断補助具１を軒樋２に被着できない。しかし本発明では既設の軒樋２に軒樋切断補助具１を被着する場合には、スリット４４を利用して前記押さえ片３０から上方に突出した上方突出部３１を切り離して後壁２２の高さを低くすることができ、これにより後壁２２の上端が野地板５０や水切り５１に当たって軒樋切断補助具１を軒樋２に被着できないといった事態が生じることを防止できる。
【００３４】
さらに上記軒樋切断補助具１は案内溝４８を利用して下側ガイド部４６を切り離すことができるので、後壁２２の前後方向の寸法を一層短くでき、軒樋２の後面部５と鼻板１２の外面との間に形成される隙間４９が非常に小さい場合にも後壁２２を隙間に通過させることができる。
【図面の簡単な説明】
【００３５】
【図１】本発明の実施の形態の一例の軒樋切断補助具を軒樋に取付けた状態を示す側面図である。
【図２】同上の軒樋切断補助具を示し、（ａ）は側面図、（ｂ）は正面図、（ｃ）は平面図、（ｄ）は（ｂ）のＡ−Ａ断面図である。
【図３】（ａ）〜（ｃ）は通常の軒樋切断補助具から既設用の軒樋切断補助具を形成する方法を段階的に示した説明図である。
【図４】軒樋の後耳部が前側に倒れる様子を示した説明図である。
【図５】弾接片部の先端部の拡大図である。
【図６】同上の既設用の軒樋切断補助具を既設の軒樋に取付けた状態を示す側面図である。
【図７】支持具を用いて軒樋を軒先に取付けた状態を示す断面図である。
【図８】同上の軒樋に傷が付いた状態を示す説明図である。
【図９】従来の軒樋切断補助具の斜視図である。
【符号の説明】
【００３６】
１  軒樋切断補助具
２  軒樋
６  前耳部
１１  後耳部
２０  底壁
２１  前壁
２２  後壁
２３  前係止部
３０  押さえ片
３１  上方突出部
３２  弾接片
４２  後ガイド
４４  スリット
【図１】
2007291744.tif 000003
【図２】
2007291744.tif 000004
【図３】
2007291744.tif 000005
【図４】
2007291744.tif 000006
【図５】
2007291744.tif 000007
【図６】
2007291744.tif 000008
【図７】
2007291744.tif 000009
【図８】
2007291744.tif 000010
【図９】
2007291744.tif 000011